(57)【要約】【課題】予算内で必要な機能を有する環境負荷の最も低い商品を選択することが可能な商品選択装置を提供すること。【解決手段】商品選択サーバ１では、クライアント端末２から、商品の購入希望情報（氏名、希望する商品の種類、希望する商品の性能／機能、購入限度価格、および購入先の住所）が入力されると、データベースから購入したい商品の種類、要求する機能／性能、および購入限度額に該当する商品を検索し、検索した商品のうち最も環境負荷の小さい商品を選択して、その情報をクライアント端末２に送信する。【選択図】      図１
2004220446.tif 000002
【特許請求の範囲】
【請求項１】
ネットワークを介して接続されるクライアント端末からの商品選択のリクエストに応じて、商品を選択する商品選択装置において、
クライアント端末から送出される、購入したい商品の種類、要求する機能／性能、および購入限度額を入力する入力手段と、
各種商品に対応させて、価格およびその機能／性能を記憶する第１の記憶手段と、
前記各種商品に対応させて、その環境負荷に関する情報を記憶する第２の記憶手段と、
前記入力手段で入力された購入したい商品の種類、要求する機能／性能、および購入限度額に該当する商品を、前記第１の記憶手段から検索する商品検索手段と、
前記商品検索手段で検索した商品について、前記第２の記憶手段に記憶されている環境負荷に関する情報を参照して、最も環境負荷の小さい商品を選択する商品選択手段と、
前記商品選択手段で選択された商品を前記クライアント端末に通知する選択商品通知手段と、
を備えたことを特徴とする商品選択装置。
【請求項２】
ネットワークを介して接続されるクライアント端末からの商品選択のリクエストに応じて、商品を選択する商品選択装置において、
クライアント端末から送出される、購入したい商品の種類、要求する機能／性能、購入先の住所、および購入限度額を入力する入力手段と、
各種商品に対応させて、価格、その機能／性能、および在庫先を記憶する商品記憶手段と、
前記各種商品に対応させて、その商品自体が環境に与える環境負荷を第１の環境負荷値として記憶する商品負荷記憶手段と、
前記入力手段で入力された、購入したい商品の種類、要求する機能／性能、および限度額に該当する商品を、前記商品記憶手段から検索する商品検索手段と、前記商品負荷記憶手段から前記商品検索手段で検索した商品の前記第１の環境負荷値を検索する第１の環境負荷値検索手段と、
前記前記商品記憶手段から前記商品検索手段で検索した商品の在庫先を検索し、当該検索した商品について、その在庫先と前記入力手段で入力された前記購入先の住所とからその移動距離を算出し、当該移動距離から納品に伴い環境に与える環境負荷を第２の環境負荷値として算出する第２の環境負荷値算出手段と、
前記検索した商品について、前記第１の環境負荷値と前記第２の環境負荷値との和を環境負荷値として算出し、当該環境負荷値の最も低い商品を選択する商品選択手段と、
前記商品選択手段で選択された商品を前記クライアント端末に通知する選択商品通知手段と、
を備えたことを特徴とする商品選択装置。
【請求項３】
前記第１の環境負荷値は、商品の消費電力、熱放出量、耐久性、リサイクル具品使用比率、およびリサイクル化率から算出されることを特徴とする請求項２に記載の商品選択装置。
【請求項４】
前記第２の環境負荷値は、商品の納品を車で行った場合の前記移動距離で排出される排気ガス量から算出されることを特徴とする請求項２に記載の商品選択装置。
【請求項５】
ネットワークを介してクライアント端末から送出される、購入したい商品の種類、要求する機能／性能、および購入限度額を入力する工程と、
各種商品に対応させて、価格およびその機能／性能を記憶している第１の記憶手段から、前記入力された購入したい商品の種類、要求する機能／性能、および購入限度額に該当する商品を検索する工程と、
前記検索した商品について、前記各種商品に対応させてその環境負荷に関する情報を記憶している第２の記憶手段の対応する環境負荷に関する情報を参照して、最も環境負荷の小さい商品を選択する工程と、
前記選択した商品を前記クライアント端末に通知する工程と、
を含むことを特徴とする商品選択方法。
【請求項６】
ネットワークを介してクライアント端末から送出される、購入したい商品の種類、要求する機能／性能、購入先の住所、および購入限度額を入力する入力工程と、
各種商品に対応させて、価格、その機能／性能、および在庫先を記憶する商品記憶手段から、前記入力された購入したい商品の種類、要求する機能／性能、および限度額に該当する商品を検索する商品検索工程と、
前記各種商品に対応させて、その商品自体が環境に与える環境負荷を第１の環境負荷値として記憶している商品負荷記憶手段から、前記検索した商品の第１の環境負荷値を検索する第１の環境負荷値検索工程と、
前記前記商品記憶手段から前記検索した商品の在庫先を検索し、当該検索した商品について、その在庫先と前記入力された前記購入先の住所とからその移動距離を算出し、当該移動距離から納品に伴い環境に与える環境負荷を第２の環境負荷値として算出する第２の環境負荷値算出工程と、
前記記検索した商品について、前記第１の環境負荷値と前記第２の環境負荷値との和を環境負荷値として算出し、当該環境負荷値の最も低い商品を選択する商品選択工程と、
前記商品選択工程で選択された商品を前記クライアント端末に通知する選択商品通知工程と、
を含むことを特徴とする商品選択方法。
【請求項７】
前記第１の環境負荷値は、商品の消費電力、熱放出量、耐久性、リサイクル具品使用比率、およびリサイクル化率等から算出されることを特徴とする請求項６に記載の商品選択方法。
【請求項８】
前記第２の環境負荷値は、商品の納品を車で行った場合の前記移動距離で排出される排気ガス量から算出されることを特徴とする請求項６に記載の商品選択方法。
【請求項９】
コンピュータが実行するためのプログラムにおいて、
ネットワークを介してクライアント端末から送出される、購入したい商品の種類、要求する機能／性能、および購入限度額を入力する工程と、
各種商品に対応させて、価格およびその機能／性能を記憶している第１の記憶手段から、前記入力された購入したい商品の種類、要求する機能／性能、および購入限度額に該当する商品を検索する工程と、
前記検索した商品について、前記各種商品に対応させてその環境負荷に関する情報を記憶している第２の記憶手段の対応する環境負荷に関する情報を参照して、最も環境負荷の小さい商品を選択する工程と、
前記選択した商品を前記クライアント端末に通知する工程と、
をコンピュータに実行させることを特徴とするコンピュータが実行するためのプログラム。
【請求項１０】
コンピュータが実行するためのプログラムにおいて、
ネットワークを介してクライアント端末から送出される、購入したい商品の種類、要求する機能／性能、購入先の住所、および購入限度額を入力する入力工程と、
各種商品に対応させて、価格、その機能／性能、および在庫先を記憶する商品記憶手段から、前記入力された購入したい商品の種類、要求する機能／性能、および限度額に該当する商品を検索する商品検索工程と、
前記各種商品に対応させて、その商品自体が環境に与える環境負荷を第１の環境負荷値として記憶している商品負荷記憶手段から、前記検索した商品の第１の環境負荷値を検索する第１の環境負荷値検索工程と、
前記前記商品記憶手段から前記検索した商品の在庫先を検索し、当該検索した商品について、その在庫先と前記入力された前記購入先の住所とからその移動距離を算出し、当該移動距離から納品に伴い環境に与える環境負荷を第２の環境負荷値として算出する第２の環境負荷値算出工程と、
前記記検索した商品について、前記第１の環境負荷値と前記第２の環境負荷値との和を環境負荷値として算出し、当該環境負荷値の最も低い商品を選択する商品選択工程と、
前記商品選択工程で選択された商品を前記クライアント端末に通知する選択商品通知工程と、
をコンピュータに実行させることを特徴とするコンピュータが実行するためのプログラム。
【請求項１１】
前記第１の環境負荷値は、商品の消費電力、熱放出量、耐久性、リサイクル具品使用比率、およびリサイクル化率等から算出されることを特徴とする請求項１０に記載のコンピュータが実行するためのプログラム。
【請求項１２】
前記第２の環境負荷値は、商品の納品を車で行った場合の前記移動距離で排出される排気ガス量から算出されることを特徴とする請求項１０に記載のコンピュータが実行するためのプログラム。
【発明の詳細な説明】
【０００１】
【発明の属する技術分野】
本発明は，商品選択装置、商品選択方法、およびコンピュータが実行するためのプログラムに関し、詳細には、予算内で環境負荷の最も低い商品を選択することが可能な商品選択装置、商品選択方法、およびコンピュータが実行するためのプログラムに関する。
【０００２】
【従来の技術】
近年、人間の活動が活発になるにつれて、地球レベルでの環境問題を無視できなくなってきた。例えば、急激なエネルギー消費が原因の地球温暖化の問題は深刻でその対策が急務とされている。地球の温暖化は、エネルギー消費により大気中に放出される二酸化炭素、メタン、亜酸化窒素のような温室効果ガスの濃度増加が原因で、地球があたかも温室のような状況になると言われる。この温室効果ガスを抑制するために、自然エネルギーの導入、省エネルギーの促進、リサイクル、リユースの促進による効果が期待されている。
【０００３】
このように、地球環境問題への対応が急務となってきた近年では、製造業では、製品を製造する際には、地球環境への影響を考慮した設計が行われてきている。他方、消費者も環境負荷の少ない地球に優しい製品を購入したいという人が増えてきている。消費者が製品を購入する場合に製品の情報を提供するシステムとして、例えば、特許文献１が知られている。
【０００４】
上記特許文献１では、クライアントに対して商品情報を提供可能な商品情報提供用サーバにおいて、前記商品情報は、販売店名、商品名、および商品価格を少なくとも含む複数の異なる情報を有し、当該複数の情報を１つのレコードとなし、複数のレコードを記憶したデータベースと、前記クライアントから指示された複数の販売店で前記データベースを検索する検索手段と、当該検索の結果得られるレコードの中の少なくとも商品名および商品価格を前記クライアントに送信する送信手段とを備え、前記クライアントでは、前記複数の販売店名に関連づけて、対応する前記商品名および商品価格を表示する商品情報提供用サーバが開示されている。
【０００５】
【特許文献１】
特開２００１−２９７２５４号公報
【０００６】
【発明が解決しようとする課題】
しかしながら、上記特許文献１では、クライアントに商品の環境負荷に関する情報が全く提供されないため、購入者は環境負荷の小さい商品を選択することができないという問題がある。
【０００７】
本発明は、上記に鑑みてなされたものであり、予算内で必要な機能を有する環境負荷の最も低い商品を選択することが可能な商品選択装置、商品選択方法、およびコンピュータが実行するためのプログラムを提供することを目的とする。
【０００８】
【課題を解決するための手段】
上記課題を解決するために、請求項１にかかる発明は、ネットワークを介して接続されるクライアント端末からの商品選択のリクエストに応じて、商品を選択する商品選択装置において、クライアント端末から送出される、購入したい商品の種類、要求する機能／性能、および購入限度額を入力する入力手段と、各種商品に対応させて、価格およびその機能／性能を記憶する第１の記憶手段と、前記各種商品に対応させて、その環境負荷に関する情報を記憶する第２の記憶手段と、前記入力手段で入力された購入したい商品の種類、要求する機能／性能、および購入限度額に該当する商品を前記第１の記憶手段から検索する商品検索手段と、前記商品検索手段で検索した商品について、前記第２の記憶手段に記憶されている環境負荷に関する情報を参照して、最も環境負荷の小さい商品を選択する商品選択手段と、前記商品選択手段で選択された商品を前記クライアント端末に通知する選択商品通知手段と、を備えたことを特徴とする。
【０００９】
上記発明によれば、入力手段は、クライアント端末から送出される、購入したい商品の種類、要求する機能／性能、および購入限度額を入力し、第１の記憶手段は、各種商品に対応させて、価格およびその機能／性能を記憶し、第２の記憶手段は、前記各種商品に対応させて、その環境負荷に関する情報を記憶し、商品検索手段は、前記入力手段で入力された購入したい商品の種類、要求する機能／性能、および購入限度額に該当する商品を前記第１の記憶手段から検索し、商品選択手段は、前記商品検索手段で検索した商品について、前記第２の記憶手段に記憶されている環境負荷に関する情報を参照して、最も環境負荷の小さい商品を選択し、選択商品通知手段は、前記商品選択手段で選択された商品を前記クライアント端末に通知する。
【００１０】
また、請求項２にかかる発明は、ネットワークを介して接続されるクライアント端末からの商品選択のリクエストに応じて、商品を選択する商品選択装置において、クライアント端末から送出される、購入したい商品の種類、要求する機能／性能、購入先の住所、および購入限度額を入力する入力手段と、各種商品に対応させて、価格、その機能／性能、および在庫先を記憶する商品記憶手段と、前記各種商品に対応させて、その商品自体が環境に与える環境負荷を第１の環境負荷値として記憶する商品負荷記憶手段と、前記入力手段で入力された、購入したい商品の種類、要求する機能／性能、および限度額に該当する商品を、前記商品記憶手段から検索する商品検索手段と、前記商品負荷記憶手段から前記商品検索手段で検索した商品の前記第１の環境負荷値を検索する第１の環境負荷値検索手段と、前記前記商品記憶手段から前記商品検索手段で検索した商品の在庫先を検索し、当該検索した商品について、その在庫先と前記入力手段で入力された前記購入先の住所とからその移動距離を算出し、当該移動距離から納品に伴い環境に与える環境負荷を第２の環境負荷値として算出する第２の環境負荷値算出手段と、前記検索した商品について、前記第１の環境負荷値と前記第２の環境負荷値との和を環境負荷値として算出し、当該環境負荷値の最も低い商品を選択する商品選択手段と、前記商品選択手段で選択された商品を前記クライアント端末に通知する選択商品通知手段と、を備えたことを特徴とする。
【００１１】
上記発明によれば、入力手段は、クライアント端末から送出される、購入したい商品の種類、要求する機能／性能、購入先の住所、および購入限度額を入力し、商品記憶手段は、各種商品に対応させて、価格、その機能／性能、および在庫先を記憶し、商品負荷記憶手段は、前記各種商品に対応させて、その商品自体が環境に与える環境負荷を第１の環境負荷値として記憶し、商品検索手段は、前記入力手段で入力された、購入したい商品の種類、要求する機能／性能、および限度額に該当する商品を、前記商品記憶手段から検索し、第１の環境負荷値検索手段は、前記商品負荷記憶手段から前記商品検索手段で検索した商品の前記第１の環境負荷値を検索し、第１の環境負荷値算出手段は、前記前記商品記憶手段から前記商品検索手段で検索した商品の在庫先を検索し、当該検索した商品について、その在庫先と前記入力手段で入力された前記購入先の住所とからその移動距離を算出し、当該移動距離から納品に伴い環境に与える環境負荷を第２の環境負荷値として算出し、商品選択手段は、前記検索した商品について、前記第１の環境負荷値と前記第２の環境負荷値との和を環境負荷値として算出し、当該環境負荷値の最も低い商品を選択し、選択商品通知手段は、前記商品選択手段で選択された商品を前記クライアント端末に通知する。
【００１２】
請求項３にかかる発明は、請求項２に記載の発明において、前記第１の環境負荷値は、商品の消費電力、熱放出量、耐久性、リサイクル具品使用比率、およびリサイクル化率から算出されることを特徴とする。
【００１３】
上記発明によれば、第１の環境負荷値を、商品の消費電力、熱放出量、耐久性、リサイクル具品使用比率、およびリサイクル化率から算出する。
【００１４】
また、請求項４にかかる発明は、請求項２に記載の発明において、前記第２の環境負荷値は、商品の納品を車で行った場合の前記移動距離で排出される排気ガス量から算出されることを特徴とする。
【００１５】
上記発明によれば、第２の環境負荷値を、商品の納品を車で行った場合の前記移動距離で排出される排気ガス量から算出する。
【００１６】
また、請求項５にかかる発明は、ネットワークを介してクライアント端末から送出される、購入したい商品の種類、要求する機能／性能、および購入限度額を入力する工程と、各種商品に対応させて、価格およびその機能／性能を記憶している第１の記憶手段から、前記入力された購入したい商品の種類、要求する機能／性能、および購入限度額に該当する商品を検索する工程と、前記検索した商品について、前記各種商品に対応させてその環境負荷に関する情報を記憶している第２の記憶手段の対応する環境負荷に関する情報を参照して、最も環境負荷の小さい商品を選択する工程と、前記選択した商品を前記クライアント端末に通知する工程と、を含むことを特徴とする。
【００１７】
上記発明によれば、ネットワークを介してクライアント端末から送出される、購入したい商品の種類、要求する機能／性能、および購入限度額を入力し、各種商品に対応させて、価格およびその機能／性能を記憶している第１の記憶手段から、前記入力された購入したい商品の種類、要求する機能／性能、および購入限度額に該当する商品を検索し、前記検索した商品について、前記各種商品に対応させてその環境負荷に関する情報を記憶している第２の記憶手段の対応する環境負荷に関する情報を参照して、最も環境負荷の小さい商品を選択し、前記選択した商品を前記クライアント端末に通知する。
【００１８】
また、請求項６にかかる発明は、ネットワークを介してクライアント端末から送出される、購入したい商品の種類、要求する機能／性能、購入先の住所、および購入限度額を入力する入力工程と、各種商品に対応させて、価格、その機能／性能、および在庫先を記憶する商品記憶手段から、前記入力された購入したい商品の種類、要求する機能／性能、および限度額に該当する商品を検索する商品検索工程と、前記各種商品に対応させて、その商品自体が環境に与える環境負荷を第１の環境負荷値として記憶している商品負荷記憶手段から、前記検索した商品の第１の環境負荷値を検索する第１の環境負荷値検索工程と、前記前記商品記憶手段から前記検索した商品の在庫先を検索し、当該検索した商品について、その在庫先と前記入力された前記購入先の住所とからその移動距離を算出し、当該移動距離から納品に伴い環境に与える環境負荷を第２の環境負荷値として算出する第２の環境負荷値算出工程と、前記記検索した商品について、前記第１の環境負荷値と前記第２の環境負荷値との和を環境負荷値として算出し、当該環境負荷値の最も低い商品を選択する商品選択工程と、前記商品選択工程で選択された商品を前記クライアント端末に通知する選択商品通知工程と、を含むことを特徴とする。
【００１９】
上記発明によれば、ネットワークを介してクライアント端末から送出される、購入したい商品の種類、要求する機能／性能、購入先の住所、および購入限度額を入力し、各種商品に対応させて、価格、その機能／性能、および在庫先を記憶する商品記憶手段から、前記入力された購入したい商品の種類、要求する機能／性能、および限度額に該当する商品を検索し、前記各種商品に対応させて、その商品自体が環境に与える環境負荷を第１の環境負荷値として記憶している商品負荷記憶手段から、前記検索した商品の第１の環境負荷値を検索し、前記前記商品記憶手段から前記検索した商品の在庫先を検索し、当該検索した商品について、その在庫先と前記入力された前記購入先の住所とからその移動距離を算出し、当該移動距離から納品に伴い環境に与える環境負荷を第２の環境負荷値として算出し、前記記検索した商品について、前記第１の環境負荷値と前記第２の環境負荷値との和を環境負荷値として算出し、当該環境負荷値の最も低い商品を選択し、選択した商品を前記クライアント端末に通知する。
【００２０】
また、請求項７にかかる発明は、請求項６に記載の発明において、前記第１の環境負荷値は、商品の消費電力、熱放出量、耐久性、リサイクル具品使用比率、およびリサイクル化率から算出されることを特徴とする。
【００２１】
上記発明によれば、第１の環境負荷値を、商品の消費電力、熱放出量、耐久性、リサイクル具品使用比率、およびリサイクル化率から算出する。
【００２２】
また、請求項８にかかる発明は、請求項６に記載の発明において、前記第２の環境負荷値は、商品の納品を車で行った場合の前記移動距離で排出される排気ガス量から算出されることを特徴とする。
【００２３】
上記発明によれば、第２の環境負荷値を、商品の納品を車で行った場合の前記移動距離で排出される排気ガス量から算出する。
【００２４】
また、請求項９にかかる発明は、コンピュータが実行するためのプログラムにおいて、ネットワークを介してクライアント端末から送出される、購入したい商品の種類、要求する機能／性能、および購入限度額を入力する工程と、各種商品に対応させて、価格およびその機能／性能を記憶している第１の記憶手段から、前記入力された購入したい商品の種類、要求する機能／性能、および購入限度額に該当する商品を検索する工程と、前記検索した商品について、前記各種商品に対応させてその環境負荷に関する情報を記憶している第２の記憶手段の対応する環境負荷に関する情報を参照して、最も環境負荷の小さい商品を選択する工程と、前記選択した商品を前記クライアント端末に通知する工程と、をコンピュータに実行させることを特徴とする。
【００２５】
上記発明によれば、コンピュータでプログラムを実行することにより、ネットワークを介してクライアント端末から送出される、購入したい商品の種類、要求する機能／性能、および購入限度額を入力する工程と、各種商品に対応させて、価格およびその機能／性能を記憶している第１の記憶手段から、前記入力された購入したい商品の種類、要求する機能／性能、および購入限度額に該当する商品を検索する工程と、前記検索した商品について、前記各種商品に対応させてその環境負荷に関する情報を記憶している第２の記憶手段の対応する環境負荷に関する情報を参照して、最も環境負荷の小さい商品を選択する工程と、前記選択した商品を前記クライアント端末に通知する工程と、を実現する。
【００２６】
また、請求項１０にかかる発明は、コンピュータが実行するためのプログラムにおいて、ネットワークを介してクライアント端末から送出される、購入したい商品の種類、要求する機能／性能、購入先の住所、および購入限度額を入力する入力工程と、各種商品に対応させて、価格、その機能／性能、および在庫先を記憶する商品記憶手段から、前記入力された購入したい商品の種類、要求する機能／性能、および限度額に該当する商品を検索する商品検索工程と、前記各種商品に対応させて、その商品自体が環境に与える環境負荷を第１の環境負荷値として記憶している商品負荷記憶手段から、前記検索した商品の第１の環境負荷値を検索する第１の環境負荷値検索工程と、前記前記商品記憶手段から前記検索した商品の在庫先を検索し、当該検索した商品について、その在庫先と前記入力された前記購入先の住所とからその移動距離を算出し、当該移動距離から納品に伴い環境に与える環境負荷を第２の環境負荷値として算出する第２の環境負荷値算出工程と、前記記検索した商品について、前記第１の環境負荷値と前記第２の環境負荷値との和を環境負荷値として算出し、当該環境負荷値の最も低い商品を選択する商品選択工程と、前記商品選択工程で選択された商品を前記クライアント端末に通知する選択商品通知工程と、をコンピュータに実行させることを特徴とする。
【００２７】
上記発明によれば、コンピュータでプログラムを実行することにより、ネットワークを介してクライアント端末から送出される、購入したい商品の種類、要求する機能／性能、購入先の住所、および購入限度額を入力する入力工程と、各種商品に対応させて、価格、その機能／性能、および在庫先を記憶する商品記憶手段から、前記入力された購入したい商品の種類、要求する機能／性能、および限度額に該当する商品を検索する商品検索工程と、前記各種商品に対応させて、その商品自体が環境に与える環境負荷を第１の環境負荷値として記憶している商品負荷記憶手段から、前記検索した商品の第１の環境負荷値を検索する第１の環境負荷値検索工程と、前記前記商品記憶手段から前記検索した商品の在庫先を検索し、当該検索した商品について、その在庫先と前記入力された前記購入先の住所とからその移動距離を算出し、当該移動距離から納品に伴い環境に与える環境負荷を第２の環境負荷値として算出する第２の環境負荷値算出工程と、前記記検索した商品について、前記第１の環境負荷値と前記第２の環境負荷値との和を環境負荷値として算出し、当該環境負荷値の最も低い商品を選択する商品選択工程と、前記商品選択工程で選択された商品を前記クライアント端末に通知する選択商品通知工程と、を実現する。
【００２８】
また、請求項１１にかかる発明は、請求項１０に記載の発明において、前記第１の環境負荷値は、商品の消費電力、熱放出量、耐久性、リサイクル具品使用比率、およびリサイクル化率等から算出されることを特徴とする。
【００２９】
上記発明によれば、前記第１の環境負荷値は、商品の消費電力、熱放出量、耐久性、リサイクル具品使用比率、およびリサイクル化率等から算出する。
【００３０】
また、請求項１２にかかる発明は、請求項１０に記載の発明において、前記第２の環境負荷値は、商品の納品を車で行った場合の前記移動距離で排出される排気ガス量から算出されることを特徴とする。
【００３１】
上記発明によれば、第２の環境負荷値を、商品の納品を車で行った場合の前記移動距離で排出される排気ガス量から算出する。
【００３２】
【発明の実施の形態】
以下、図面を参照して、本発明にかかる商品選択装置、商品選択方法、およびコンピュータが実行するためのプログラムの好適な実施の形態を、（商品選択システムの全体構成）、（商品選択サーバの構成）、（クライアント端末の構成）、（商品の選択処理）の順に詳細に説明する。
【００３３】
（商品選択システムの全体構成）
図１は、本発明にかかる商品選択システムの全体構成を示す図である。同図に示す商品選択システムは、商品の購入希望情報（購入したい商品の種類と、必要な機能／性能と、購入限度額、購入者の住所）を商品選択サーバ１に送信するクライアント端末２・・・と、クライアント端末２・・・から入力される商品の購入希望情報（購入したい商品の種類と、必要な機能／性能と、購入限度額と、購入者の住所）に従って、購入限度額内で必要な機能／性能を満たし環境負荷が最も低い製品を選択して、その情報をクライアント端末２・・・に送信する商品選択サーバ（商品選択装置）１とから構築されており、商品選択サーバ１と、クライアント端末２・・・とは、インターネット３を介して接続されている。
【００３４】
（商品選択サーバの構成）
図２は、図１の会議スタイル選択サーバ１の構成例を示すブロック図である。会議スタイル選択サーバ１は、通信制御部１１、制御部１２、プログラム記憶部１３、商品ＤＢ１４、商品付加環境ＤＢ１５、移動負荷ＤＢ１６、環境負荷試算ＤＢ１７備えている。各部は、バスを介して互いに接続されている。
【００３５】
通信制御部１１は、インターネット３を介して接続される装置とデータ通信する際にデータ通信を制御する。制御部１２は、ＣＰＵやＲＡＭ等から構成され、プログラム記憶部１３に記録されたプログラムに従って、各部の制御や、データの転送、種々の演算、データの一時的な格納等を行う。具体的には、制御部１２は、プログラム記憶部１３に記録されたプログラムに従って後述する商品の選択処理（図７参照）を実行する。
【００３６】
プログラム記憶部１３は、制御部１２で実行するための各種プログラムやデータが記憶されている。かかるプログラムには、例えば、ＯＳプログラムや、商品の選択処理を実行するためのプログラム等がある。また、プログラム記憶部１３の記録媒体としては、例えば、フロッピー（Ｒ）ディスク、ハードディスク、ＣＤ−ＲＯＭ、ＤＶＤ−ＲＯＭ、ＭＯやＰＣカード等の光学的・磁気的・電気的な記録媒体を使用することができる。また、プログラム記憶部１３に格納されたプログラムはインターネット３を介して配信可能である。
【００３７】
商品ＤＢ１４には、商品の種類毎に、各商品の性能／機能、価格、および在庫先が登録されている。図３は、商品ＤＢ１４に格納されるデータの一例を示す図である。図３に示すように、商品の種類（テレビ、コピー機、冷蔵庫、・・・）毎に、各商品名に対応させて、その性能／機能、価格、および在庫先が登録されている。
【００３８】
商品負荷ＤＢ１５には、商品の種類毎に、各商品の耐久性（商品寿命）、消費電力、リサイクル具品使用比率、熱放出量、およびリサイクル化率と、環境負荷値Ａが登録されている。環境負荷値Ａ（第１の環境負荷値）は、耐久性（商品寿命）、消費電力、リサイクル具品使用比率、熱放出量、およびリサイクル化率から算出した商品自体が環境に与える環境負荷を表す値で「１」〜「１００」までの値となり、値が小さい方が環境負荷が小さいことを示している。図４は、商品負荷ＤＢ１５に格納されているデータの一例を示す図である。
【００３９】
移動負荷ＤＢ１６には、地図データと、車を走行させた場合に単位移動距離当たりの（例えば、１ｋｍ）排気ガス量が登録されている。この移動負荷ＤＢ１６は、制御部１２で商品の環境負荷値Ｂ（第２の環境負荷値）を算出する際に参照される。環境負荷値Ｂは、商品を車で在庫先から購入先の住所に納品する場合に消費される排気ガス量から算出され、車での移動に伴う環境負荷を表す値で、「１」〜「１００」までの値となり、値が小さい方が環境負荷値Ｂが小さいことを示している。また、移動距離が短い方が環境負荷値Ｂが小くなる。ここでは、商品の納品は同一の車種で行うことを前提としている。同一の車種であるので、単位移動距離当たりの排気ガス量が同一となる。
【００４０】
環境負荷試算ＤＢ１７には、制御部１１で算出した商品の環境負荷のデータが格納される。図５は、環境負荷試算ＤＢ１７に格納される商品の環境負荷のデータの一例を示す図である。図５に示すように、商品選択のリクエスト毎に、環境負荷順位、商品名、環境負荷値Ａ、環境負荷値Ｂ、および環境負荷値のデータが格納される。ここで、環境負荷値は、環境負荷値Ａ＋環境負荷値Ｂで算出される値である。
【００４１】
（クライアント端末の構成）
図４は、図１のクライアント端末２のハード構成例を示すブロック図である。同図に示すクライアント端末２は、操作指示を与える入力部２１と、外部とデータ通信を行うためのデータ通信部２２と、表示部２３と、装置全体の制御を司るＣＰＵ２４と、記録媒体２６のデータのリード／ライトを行う記録媒体ドライブ装置２５と、ＣＰＵ２４を動作させるプログラム等を格納した記録媒体２６と、およびＣＰＵ２４のワークエリアとして使用されるＲＡＭ２７と、を備えている。各部は、バスを介して互いに接続されている。
【００４２】
上記入力部２１は、カーソルキー、数字入力キーおよび各種機能キー等を備えたキーボード、マウス、並びに画像を読みとるスキャナ等からなる。この入力部２１は、必ずしもクライアント端末２にローカルに接続される必要はなく、ＰＨＳ・リモートターミナル（例えば、Ｐｅｒｓｏｎａｌ  Ｄｉｇｉｔａｌ  Ａｓｓｉｓｔａｎｔ）等のリモート装置や、当該クライアント端末２と双方向でデータ通信が可能な装置等を入力手段として使用しても良い。また、入力部２１は、ＣＰＵ２４に操作コマンドを与えて動作させるためのユーザーインターフェースである。なお、入力部２１としては、上記したものに限られるものではなく、タッチパネル、トラックボールや音声認識機構等を用いても良い。
【００４３】
上記表示部２３は、ＣＲＴ（Ｃａｔｈｏｄ  Ｒａｙ  Ｔｕｂｅ）、ＬＣＤ（Ｌｉｑｕｉｄ  Ｃｒｙｓｔａｌ  Ｄｉｓｐｌａｙ）や、プラズマディスプレイ等により構成され、ＣＰＵ２４から入力される表示データに応じた表示が行われる。
【００４４】
上記ＣＰＵ２４は、例えば、３２ビットマイクロプロセッサ、他のマイクロプロセッサ、ＤＳＰ（Ｄｉｇｉｔａｌ  Ｓｉｇｎａｌ  Ｐｒｏｓｅｓｓｏｒ）や、プログラマブルロジック等からなる。また、ＣＰＵ２４は、必ずしもシングルプロセッサである必要はなく、分散処理をするタイプのものでも良い。このＣＰＵ２４は、記録媒体２６に格納されているプログラムに従って、装置全体を制御する中央制御ユニットであり、このＣＰＵ２４は、入力部２１、表示部２３、データ通信部２２、記録媒体ドライブ装置２５、およびＲＡＭ２７が接続されており、データ通信、メモリへのアクセスによるアプリケーションプログラムの読み出しや各種データのリード／ライト、データ／コマンド入力、カラー表示等を制御する。
【００４５】
上記データ通信部２２は、電話回線、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＬＡＮ（Ｌｏｃａｌ  Ａｒｅａ  Ｎｅｔｗｏｒｋ）や、ＷＡＮ（Ｗｉｄｅ  Ａｒｅａ  Ｎｅｔｗｏｒｋ）等のネットワークに接続され、内蔵したモデム（図示せず）を経て電話回線を介してデータ通信を行う。
【００４６】
上記記録媒体２６は、ＣＰＵ２４が実行可能なＯＳプログラム（例えば、ＷＩＮＤＯＷＳ（Ｒ））２６ａおよびアプリケーションプログラム等の各種プログラムやデータを格納する。アプリケーションプログラムとしては、ＷＷＷブラウザ２６ｂ等が格納されている。上述の記録媒体２６は、例えば、フロッピー（Ｒ）ディスク、ハードディスク、ＣＤ−ＲＯＭ、ＤＶＤ−ＲＯＭ、ＭＯやＰＣカード等の光学的・磁気的・電気的な記録媒体からなる。上記各種プログラムは、ＣＰＵ２４が直接または間接に解釈可能なオブジェクトコードやソースコード等の形態で記録媒体２６に格納されている。記録媒体２６に格納されたプログラムはネットワークを介して配信可能である。
【００４７】
上記ＲＡＭ２７は、指定されたプログラム、入力指示、入力データおよび処理結果等を格納するワークメモリと、表示部２３の表示画面に表示する表示データを一時的に格納する表示メモリとを備えている。
【００４８】
（商品の選択処理）
つぎに、商品の選択処理における商品選択サーバ１およびクライアント端末２の処理を図７〜図１０を参照して説明する。図７は、商品の選択処理における商品選択サーバ１およびクライアント端末２の処理を説明するための処理フロー、図８〜図１０は、クライアント端末２の表示部２３に表示される画面の表示例を示している。
【００４９】
図７において、クライアント端末２では、商品選択サーバ１から提供され、表示部２３に表示される商品の選択の申込み画面で、商品の購入希望情報（氏名、希望する商品の種類、希望する商品の性能／機能、購入限度価格、および購入先の住所）を入力して、商品選択サーバ１に送信する（ステップＳ１）。図８は、商品の選択の申込み画面の表示例を示す図である。商品の選択の申し込み画面には、”氏名”、”希望する商品の種類”、”希望する商品の性能／機能”、”購入限度価格”、”購入先の住所”の入力欄と、「送信」ボタンが表示されている。図９は、商品の選択の申込み画面でのデータの入力例を示す図である。同図では、”氏名”として、”山田太郎”、”希望する商品の種類”として”テレビ”、”希望する商品の性能／機能”として、”２７型液晶テレビ、衛星チュナー内蔵”、”購入限度価格”として”５０万円”、”納品先の住所”として”千代田区霞ヶ関Ｘ−Ｘ−Ｘ”が入力されている。ここで、「送信」ボタンが押されると、この入力されたデータが商品選択サーバ１に送信される。
【００５０】
商品選択サーバ１では、制御部１２は、通信制御部１１を介して商品の購入希望情報（氏名、希望する商品の種類、希望する商品の性能／機能、購入限度価格、購入先の住所）のデータを受信すると（ステップＴ１）、制御部１２は、受信した希望する商品の種類、希望する商品の性能／機能、および購入限度価格に該当する商品を商品ＤＢ１４から検索する（ステップＴ２）。
【００５１】
制御部１２は、商品ＤＢ１４で検索した商品の環境負荷値Ａを商品負荷ＤＢ１５から検索する（ステップＴ３）。そして、制御部１２は、検索した商品の在庫先を商品ＤＢ１４で検索し、つづいて、移動負荷ＤＢ１６を参照して、地図データを使用して在庫先から購入先の住所までの移動距離を算出し、移動距離×単位移動距離当たりの排気ガス量を演算して、環境負荷値Ｂを算出する（ステップＴ４）。
【００５２】
制御部１２は、検索した各商品の環境負荷値＝環境負荷値Ａ＋環境負荷値Ｂを演算して、環境負荷値が小さい５つを選択して、環境負荷順位、商品名、環境負荷値Ａ、環境負荷値Ｂ、環境負荷値のデータを環境負荷試算ＤＢ１７に格納する（ステップＴ５）。上記図５は、環境負荷試算ＤＢ１７に格納されるデータの一例を示している。この環境負荷試算ＤＢ１７に格納されるデータは、クライアント端末２から参照可能となっている。
【００５３】
この後、制御部１２は、環境負荷値が最も小さい商品のデータを含む商品選択結果画面のデータを、通信制御部１１を介してクライアント端末２に送信する（ステップＴ６）。この後、制御部１２は、当該商品の発注を行う（ステップＴ７）。
【００５４】
クライアント端末１は、商品選択結果画面のデータを受信すると（ステップＳ２）、商品選択結果画面をその表示部２３に表示する（ステップＳ３）。図１０は、商品選択結果画面の一例を示す図である。同図に示すように、商品選択結果画面には、”申込み内容の確認”と、”商品選択結果”が表示され、”商品選択結果”として、”商品名”、”環境負荷値Ａ”、”環境負荷値Ｂ”、”環境負荷値”、”価格”が表示される。同図に示す例では、”商品名”として、”Ｃ社Ｃ１”、”環境負荷値Ａ”として”３”、”環境負荷値Ｂ”として”４”、”環境負荷値”として”７”、”価格”として”Ｐ１”が表示されている。
【００５５】
以上説明したように、本実施の形態においては、商品選択サーバ１では、制御部１２は、クライアント端末２から、商品の購入希望情報（氏名、希望する商品の種類、希望する商品の性能／機能、購入限度価格、および購入先の住所）が入力されると、商品ＤＢ１４から購入したい商品の種類、要求する機能／性能、および購入限度額に該当する商品を検索し、検索した商品のうち最も環境負荷の小さい商品を選択して、その情報をクライアント端末２に送信することとしたので、購入者は、予算内で必要な機能を有する最も環境負荷の低い商品を選択することが可能となる。
【００５６】
また、制御部１２は、商品自体が環境に与える環境負荷値Ａと車による納品で環境に与える環境負荷値Ｂとの和を環境負荷値として算出しているので、商品自体が環境に与える環境負荷と車による納品で環境に与える環境負荷の両者についての環境負荷を考慮することができ、商品を購入する場合の環境負荷を正確に把握することが可能となる。
【００５７】
なお、本発明は、上記した実施の形態に限定されるものではなく、発明の要旨を変更しない範囲で適宜変形可能である。
【００５８】
例えば、上記した実施の形態では、環境負荷値Ｂを算出する場合に、車の排気ガス量に基づいて算出しているが、消費されるガソリン量も環境負荷値Ｂを算出する際に使用することにしても良い。
【００５９】
【発明の効果】
以上説明したように，請求項１にかかる商品選択装置によれば、ネットワークを介して接続されるクライアント端末からの商品選択のリクエストに応じて、商品を選択する商品選択装置において、クライアント端末から送出される、購入したい商品の種類、要求する機能／性能、および購入限度額を入力する入力手段と、各種商品に対応させて、価格およびその機能／性能を記憶する第１の記憶手段と、前記各種商品に対応させて、その環境負荷に関する情報を記憶する第２の記憶手段と、前記入力手段で入力された購入したい商品の種類、要求する機能／性能、および購入限度額に該当する商品を前記第１の記憶手段から検索する商品検索手段と、前記商品検索手段で検索した商品について、前記第２の記憶手段に記憶されている環境負荷に関する情報を参照して、最も環境負荷の小さい商品を選択する商品選択手段と、前記商品選択手段で選択された商品を前記クライアント端末に通知する選択商品通知手段と、を備えたこととしたので、予算内で必要な機能を有する最も環境負荷の低い商品を選択することが可能な商品選択装置を提供することが可能となるという効果を奏する。
【００６０】
また、請求項２にかかる商品選択装置によれば、請求項１にかかる発明において、ネットワークを介して接続されるクライアント端末からの商品選択のリクエストに応じて、商品を選択する商品選択装置において、クライアント端末から送出される、購入したい商品の種類、要求する機能／性能、購入先の住所、および購入限度額を入力する入力手段と、各種商品に対応させて、価格、その機能／性能、および在庫先を記憶する商品記憶手段と、前記各種商品に対応させて、その商品自体が環境に与える環境負荷を第１の環境負荷値として記憶する商品負荷記憶手段と、前記入力手段で入力された、購入したい商品の種類、要求する機能／性能、および限度額に該当する商品を、前記商品記憶手段から検索する商品検索手段と、前記商品負荷記憶手段から前記商品検索手段で検索した商品の前記第１の環境負荷値を検索する第１の環境負荷値検索手段と、前記前記商品記憶手段から前記商品検索手段で検索した商品の在庫先を検索し、当該検索した商品について、その在庫先と前記入力手段で入力された前記購入先の住所とからその移動距離を算出し、当該移動距離から納品に伴い環境に与える環境負荷を第２の環境負荷値として算出する第２の環境負荷値算出手段と、前記検索した商品について、前記第１の環境負荷値と前記第２の環境負荷値との和を環境負荷値として算出し、当該環境負荷値の最も低い商品を選択する商品選択手段と、前記商品選択手段で選択された商品を前記クライアント端末に通知する選択商品通知手段と、を備えたこととしたので、商品自体が環境に与える環境負荷と車による納品で環境に与える環境負荷の両者についての環境負荷を考慮することができ、商品を購入する場合の環境負荷を正確に把握することが可能となる。
【００６１】
また、請求項３にかかる商品選択装置によれば、請求項２に記載の発明において、前記第１の環境負荷値は、商品の消費電力、熱放出量、耐久性、リサイクル具品使用比率、およびリサイクル化率等から算出されることとしたので、第１の環境負荷値を各種のファクターから算出することが可能となる。
【００６２】
また、請求項４にかかる商品選択装置によれば、請求項２にかかる発明において、前記第２の環境負荷値は、商品の納品を車で行った場合の前記移動距離で排出される排気ガス量から算出されることとしたので、第２の環境負荷値を高精度に算出することが可能となる。
【００６３】
また、請求項５にかかる商品選択方法によれば、ネットワークを介してクライアント端末から送出される、購入したい商品の種類、要求する機能／性能、および購入限度額を入力する工程と、各種商品に対応させて、価格およびその機能／性能を記憶している第１の記憶手段から、前記入力された購入したい商品の種類、要求する機能／性能、および購入限度額に該当する商品を検索する工程と、前記検索した商品について、前記各種商品に対応させてその環境負荷に関する情報を記憶している第２の記憶手段の対応する環境負荷に関する情報を参照して、最も環境負荷の小さい商品を選択する工程と、前記選択した商品を前記クライアント端末に通知する工程と、を含むこととしたので、予算内で必要な機能を有する最も環境負荷の低い商品を選択することが可能な商品選択方法を提供することが可能となるという効果を奏する。
【００６４】
また、請求項６にかかる商品選択方法によれば、ネットワークを介してクライアント端末から送出される、購入したい商品の種類、要求する機能／性能、購入先の住所、および購入限度額を入力する入力工程と、各種商品に対応させて、価格、その機能／性能、および在庫先を記憶する商品記憶手段から、前記入力された購入したい商品の種類、要求する機能／性能、および限度額に該当する商品を検索する商品検索工程と、前記各種商品に対応させて、その商品自体が環境に与える環境負荷を第１の環境負荷値として記憶している商品負荷記憶手段から、前記検索した商品の第１の環境負荷値を検索する第１の環境負荷値検索工程と、前記前記商品記憶手段から前記検索した商品の在庫先を検索し、当該検索した商品について、その在庫先と前記入力された前記購入先の住所とからその移動距離を算出し、当該移動距離から納品に伴い環境に与える環境負荷を第２の環境負荷値として算出する第２の環境負荷値算出工程と、前記記検索した商品について、前記第１の環境負荷値と前記第２の環境負荷値との和を環境負荷値として算出し、当該環境負荷値の最も低い商品を選択する商品選択工程と、前記商品選択工程で選択された商品を前記クライアント端末に通知する選択商品通知工程と、を含むこととしたので、商品自体が環境に与える環境負荷と車による納品で環境に与える環境負荷の両者についての環境負荷を考慮することができ、商品を購入する場合の環境負荷を正確に把握することが可能となる。
【００６５】
また、請求項７にかかる商品選択方法によれば、請求項６に記載の発明において、前記第１の環境負荷値は、商品の消費電力、熱放出量、耐久性、リサイクル具品使用比率、およびリサイクル化率等から算出されることとしたので、第１の環境負荷値を各種のファクターから算出することが可能となる。
【００６６】
また、請求項８にかかる商品選択方法によれば、請求項６に記載の発明において、前記第２の環境負荷値は、商品の納品を車で行った場合の前記移動距離で排出される排気ガス量から算出されることとしたので、第２の環境負荷値を高精度に算出することが可能となる。
【００６７】
また、請求項９にかかるコンピュータが実行するためのプログラムによれば、コンピュータでプログラムを実行することにより、ネットワークを介してクライアント端末から送出される、購入したい商品の種類、要求する機能／性能、および購入限度額を入力する工程と、各種商品に対応させて、価格およびその機能／性能を記憶している第１の記憶手段から、前記入力された購入したい商品の種類、要求する機能／性能、および購入限度額に該当する商品を検索する工程と、前記検索した商品について、前記各種商品に対応させてその環境負荷に関する情報を記憶している第２の記憶手段の対応する環境負荷に関する情報を参照して、最も環境負荷の小さい商品を選択する工程と、前記選択した商品を前記クライアント端末に通知する工程と、を実現することとしたので、予算内で必要な機能を有する最も環境負荷の低い商品を選択することが可能なコンピュータが実行するためのプログラムを提供することが可能となるという効果を奏する。
【００６８】
また、請求項１０にかかるコンピュータが実行するためのプログラムによれば、コンピュータでプログラムを実行することにより、ネットワークを介してクライアント端末から送出される、購入したい商品の種類、要求する機能／性能、購入先の住所、および購入限度額を入力する入力工程と、各種商品に対応させて、価格、その機能／性能、および在庫先を記憶する商品記憶手段から、前記入力された購入したい商品の種類、要求する機能／性能、および限度額に該当する商品を検索する商品検索工程と、前記各種商品に対応させて、その商品自体が環境に与える環境負荷を第１の環境負荷値として記憶している商品負荷記憶手段から、前記検索した商品の第１の環境負荷値を検索する第１の環境負荷値検索工程と、前記前記商品記憶手段から前記検索した商品の在庫先を検索し、当該検索した商品について、その在庫先と前記入力された前記購入先の住所とからその移動距離を算出し、当該移動距離から納品に伴い環境に与える環境負荷を第２の環境負荷値として算出する第２の環境負荷値算出工程と、前記記検索した商品について、前記第１の環境負荷値と前記第２の環境負荷値との和を環境負荷値として算出し、当該環境負荷値の最も低い商品を選択する商品選択工程と、前記商品選択工程で選択された商品を前記クライアント端末に通知する選択商品通知工程と、を実現することとしたので、商品自体が環境に与える環境負荷と車による納品で環境に与える環境負荷の両者についての環境負荷を考慮することができ、商品を購入する場合の環境負荷を正確に把握することが可能となる。
【００６９】
また、請求項１１にかかるコンピュータが実行するためのプログラムによれば、請求項１０に記載の発明において、前記第１の環境負荷値は、商品の消費電力、熱放出量、耐久性、リサイクル具品使用比率、およびリサイクル化率から算出されることとしたので、第１の環境負荷値を各種のファクターから算出することが可能となる。
【００７０】
また、請求項１２にかかるコンピュータが実行するためのプログラムによれば、請求項１０に記載の発明において、前記第２の環境負荷値は、商品の納品を車で行った場合の前記移動距離で排出される排気ガス量から算出されることとしたので、第２の環境負荷値を高精度に算出することが可能となる。
【図面の簡単な説明】
【図１】本発明にかかる商品選択システムの全体構成を示す図である。
【図２】図１の商品選択サーバの構成例を示すブロック図である。
【図３】図２の商品ＤＢに格納されるデータの一例を示す図である。
【図４】図２の商品負荷ＤＢに格納されるデータの一例を示す図である。
【図５】図２の環境負荷試算ＤＢに格納されるデータの一例を示す図である。
【図６】図１のクライアント端末のハード構成例を示すブロック図である。
【図７】商品の選択処理における会議スタイル選択サーバおよびクライアント端末２の処理を説明するための処理フローを示す図である。
【図８】商品選択の申込み画面の表示例を示す図である。
【図９】商品選択の申込み画面の表示例を示す図である。
【図１０】商品選択結果画面の表示例を示す図である。
【符号の説明】
１    商品選択サーバ
２    クライアント端末
３    ネットワーク
１１  通信制御部
１２  制御部
１３  プログラム記憶部
１４  商品ＤＢ
１５  商品負荷ＤＢ
１６  移動負荷ＤＢ
１７  環境負荷試算ＤＢ
２１  入力部
２２  データ通信部
２３  表示部
２４  ＣＰＵ
２５  記録媒体ドライブ装置
２６  記録媒体
２７  ＲＡＭ
【図１】
2004220446.tif 000003
【図２】
2004220446.tif 000004
【図３】
2004220446.tif 000005
【図４】
2004220446.tif 000006
【図５】
2004220446.tif 000007
【図６】
2004220446.tif 000008
【図７】
2004220446.tif 000009
【図８】
2004220446.tif 000010
【図９】
2004220446.tif 000011
【図１０】
2004220446.tif 000012